(57)【要約】【課題】本開示は、防災無線信号を親局装置から受信する戸別受信装置において、受信電力を高くして防災放送を確実にするために、大型のアンテナを用いるにあたり、大型のアンテナを容易に運搬・設置することを目的とする。【解決手段】本開示は、ダイポールアンテナ１のエレメント１１と、ダイポールアンテナ１のエレメント１１を支持するエレメント支持部材２と、ダイポールアンテナ１のエレメント１１で受信した防災無線信号を防災音声信号に変換して、防災音声信号を出力する戸別受信装置４と、を組立前の状態で運搬可能に備えることを特徴とする防災無線戸別受信装置Ｓである。【選択図】図１
2018046389.tif 000002
【特許請求の範囲】
【請求項１】
ダイポールアンテナのエレメントと、
前記ダイポールアンテナのエレメントを支持するエレメント支持部材と、
前記ダイポールアンテナのエレメントで受信した防災無線信号を防災音声信号に変換して、前記防災音声信号を出力する戸別受信装置と、
を組立前の状態で運搬可能に備えることを特徴とする防災無線戸別受信装置。
【請求項２】
前記ダイポールアンテナのエレメント、前記エレメント支持部材及び前記戸別受信装置を、組立前の状態で単一のケース内に収納可能である
ことを特徴とする、請求項１に記載の防災無線戸別受信装置。
【請求項３】
前記ダイポールアンテナのエレメント及び前記戸別受信装置は、配線後の状態で前記単一のケース内で、前記防災無線信号の受信及び前記防災音声信号の出力が可能である
ことを特徴とする、請求項２に記載の防災無線戸別受信装置。
【発明の詳細な説明】
【技術分野】
【０００１】
本開示は、防災無線信号を親局装置から受信する戸別受信装置に関する。
【背景技術】
【０００２】
同報無線システムの一部として、防災無線信号を親局装置から子局装置及び戸別受信装置へと送信する防災無線システムがある（例えば、特許文献１を参照。）。親局装置は、役所の施設等に固定設置され、子局装置は、学校及び公園等に固定設置され、戸別受信装置は、学校や病院の施設及び防災会（個人宅）等に設置工事される。
【先行技術文献】
【特許文献】
【０００３】
【特許文献１】特開２０１３−２２８８３８号公報
【発明の概要】
【発明が解決しようとする課題】
【０００４】
ここで、親局装置と戸別受信装置が物理的に遠い場合、又は、建物や地形等の遮蔽物がある場合、戸別受信装置の内蔵のアンテナのみを用いるときは、受信電力が低くなり防災放送が受信できない。そこで、戸別受信装置のアンテナを高いビルの屋上等に設置工事することが考えられるが、高いビル等がなければ設置工事ができない。そして、戸別受信装置のアンテナとして大型のアンテナを設置工事することも考えられるが、防災会（個人宅）に大型のアンテナを設置工事するにあたり家の壁に穴を開ける等の作業が必要である。
【０００５】
そこで、前記課題を解決するために、本開示は、防災無線信号を親局装置から受信する戸別受信装置において、受信電力を高くして防災放送を確実にするために、大型のアンテナを用いるにあたり、大型のアンテナを容易に運搬・設置することを目的とする。
【課題を解決するための手段】
【０００６】
上記目的を達成するために、ダイポールアンテナのエレメントと、エレメント支持部材と、戸別受信装置と、を組立前の状態で運搬可能にすることとした。
【０００７】
具体的には、本開示は、ダイポールアンテナのエレメントと、前記ダイポールアンテナのエレメントを支持するエレメント支持部材と、前記ダイポールアンテナのエレメントで受信した防災無線信号を防災音声信号に変換して、前記防災音声信号を出力する戸別受信装置と、を組立前の状態で運搬可能に備えることを特徴とする防災無線戸別受信装置である。
【０００８】
この構成によれば、防災無線信号を親局装置から受信する戸別受信装置において、受信電力を高くして防災放送を確実にするために、大型のダイポールアンテナを用いるにあたり、大型のダイポールアンテナを容易に運搬・設置することができる。
【０００９】
また、本開示は、前記ダイポールアンテナのエレメント、前記エレメント支持部材及び前記戸別受信装置を、組立前の状態で単一のケース内に収納可能であることを特徴とする防災無線戸別受信装置である。
【００１０】
この構成によれば、大型のダイポールアンテナ及び戸別受信装置を容易に運搬することができる。
【００１１】
また、本開示は、前記ダイポールアンテナのエレメント及び前記戸別受信装置は、配線後の状態で前記単一のケース内で、前記防災無線信号の受信及び前記防災音声信号の出力が可能であることを特徴とする防災無線戸別受信装置である。
【００１２】
この構成によれば、大型のダイポールアンテナ及び戸別受信装置をケース内で動作させることができる。
【発明の効果】
【００１３】
このように、本開示によれば、防災無線信号を親局装置から受信する戸別受信装置において、受信電力を高くして防災放送を確実にするために、大型のアンテナを用いるにあたり、大型のアンテナを容易に運搬・設置することができる。
【図面の簡単な説明】
【００１４】
【図１】本開示の防災無線戸別受信装置の構成を示す図である。
【図２】本開示の防災無線戸別受信装置の収納方法及び運搬方法を示す図である。
【図３】本開示の防災無線戸別受信装置の収納時の音声出力方法を示す図である。
【発明を実施するための形態】
【００１５】
添付の図面を参照して本開示の実施形態を説明する。以下に説明する実施形態は本開示の実施の例であり、本開示は以下の実施形態に制限されるものではない。
【００１６】
本開示の防災無線戸別受信装置の構成を図１に示す。本開示の防災無線戸別受信装置Ｓは、ダイポールアンテナ１のエレメント１１と、エレメント支持部材２と、アンテナケーブル３と、戸別受信装置４と、を組立前の状態で運搬可能に備える。
【００１７】
ダイポールアンテナ１は、１／２波長ダイポールアンテナであってもよく、１／４波長ダイポールアンテナであってもよい。ダイポールアンテナ１が１／２波長ダイポールアンテナであるときは、防災行政無線の使用周波数〜６０ＭＨｚに対して、２本のエレメント１１の全長〜２ｍ以上が望ましい。ダイポールアンテナ１が１／４波長ダイポールアンテナであるときは、防災行政無線の使用周波数〜６０ＭＨｚに対して、１本のエレメント１１の長さ〜１ｍ程度が望ましく、１本のエレメント１１の端部に接地導体を配置すればよい。
【００１８】
エレメント支持部材２は、ダイポールアンテナ１のエレメント１１を支持する。実施形態では、エレメント支持部材２は、三脚の形状で鉛直方向に伸縮が自在なアンテナポール２１と、アンテナポール２１から水平方向に張り出したアンテナ架台２２と、を備える。
【００１９】
戸別受信装置４は、ダイポールアンテナ１のエレメント１１で受信した防災無線信号を防災音声信号に変換して、防災音声信号を出力する。アンテナケーブル３は、ダイポールアンテナ１のエレメント１１と戸別受信装置４を接続する。
【００２０】
戸別受信装置４は、防災無線信号受信部４１、防災無線信号変換部４２、防災音声信号録音部４３、防災音声信号出力部４４及び電源部４５を備える。防災無線信号受信部４１は、防災無線信号を受信する。防災無線信号変換部４２は、防災無線信号を防災音声信号に変換する。防災音声信号録音部４３は、防災音声信号を録音する。防災音声信号出力部４４は、防災無線信号を変換した防災音声信号を出力するとともに、防災音声信号を録音した録音音声信号を出力する。電源部４５は、戸別受信装置４の電源であり、内蔵されたバッテリー又は外部からの電源取得部である。
【００２１】
防災無線戸別受信装置Ｓを組み立てるにあたり、第１に、図２、３に記載のケースＣから、各部品を取り出す。第２に、ペグ又はくいを用いて、地面にアンテナポール２１を立て付ける。第３に、取付金具を用いて、アンテナポール２１の上端にアンテナ架台２２を取り付ける。第４に、アンテナ架台２２の上下両方に１本ずつエレメント１１を取り付ける（１／２波長ダイポールアンテナの場合）。或いは、アンテナ架台２２の上又は下に１本のエレメント１１を取り付ける（１／４波長ダイポールアンテナの場合）。ここで、アンテナポール２１の長さを調整して、エレメント１１の高さを調整する。第５に、アンテナケーブル３を用いて、エレメント１１と戸別受信装置４を接続する。
【００２２】
図１に示した構成によれば、防災無線信号を親局装置から受信する防災無線戸別受信装置Ｓにおいて、受信電力を高くして防災放送を確実にするために、大型のダイポールアンテナ１を用いるにあたり、大型のダイポールアンテナ１を容易に運搬・設置することができる。そして、防災無線信号を何度も親局装置から防災無線戸別受信装置Ｓへと送信しなくとも、最初の防災放送を聞き逃しても、録音の防災放送を聞くことができる。
【００２３】
本開示の防災無線戸別受信装置の収納方法及び運搬方法を図２に示す。ダイポールアンテナ１のエレメント１１、エレメント支持部材２、アンテナケーブル３及び戸別受信装置４を、組立前の状態で単一のケースＣ内に収納可能である。
【００２４】
図２の左欄に示した収納時には、ケースＣ内のパーティション５で仕切られた各空間に、緩衝材及び／又は固定テープを用いて各部品を収納する。図２の右欄に示した運搬時には、ケースＣの収納部にケースＣのふたを被せて、チャック６を用いてケースＣのふたを閉めて、ハンドル７を用いて防災無線戸別受信装置Ｓの各部品を運搬する。
【００２５】
このように、大型のダイポールアンテナ１及び戸別受信装置４を容易に運搬することができる。
【００２６】
本開示の防災無線戸別受信装置の収納時の音声出力方法を図３に示す。ダイポールアンテナ１のエレメント１１及び戸別受信装置４は、アンテナケーブル３で配線後の状態で単一のケースＣ内で、防災無線信号の受信及び防災音声信号の出力が可能である。
【００２７】
図３の左欄に示した配線時には、ケースＣ内のパーティション５で仕切られた各空間に、緩衝材及び／又は固定テープを用いて各部品を収納して、アンテナケーブル３を用いてエレメント１１と戸別受信装置４を接続する。図３の右欄に示した出力時には、ケースＣの収納部にケースＣのふたを被せて、チャック６を用いてケースＣのふたを閉めて、ケースＣを適切な場所に適切な姿勢で配置する。ケースＣから各部品を取り出して防災無線戸別受信装置Ｓを組み立てなくても、ケースＣのふたの表面を通して、防災無線信号の受信が可能であり、ケースＣのふたの表面のうち戸別受信装置４を覆う部分に形成された防災音声出力窓８を通して、防災音声信号の出力が可能である。
【００２８】
このように、大型のダイポールアンテナ１及び戸別受信装置４をケース内で動作させることができる。
【産業上の利用可能性】
【００２９】
本開示の防災無線戸別受信装置を用いれば、大型のアンテナを組立前の状態で運搬可能となるため、高いビルの屋上等でのアンテナの設置工事が必ずしも必要ではなくなり、防災会（個人宅）へのアンテナの設置工事における家の壁に穴を開ける等の作業が不要となる。
【符号の説明】
【００３０】
Ｓ：防災無線戸別受信装置
Ｃ：ケース
１：ダイポールアンテナ
２：エレメント支持部材
３：アンテナケーブル
４：戸別受信装置
５：パーティション
６：チャック
７：ハンドル
８：防災音声出力窓
１１：エレメント
２１：アンテナポール
２２：アンテナ架台
４１：防災無線信号受信部
４２：防災無線信号変換部
４３：防災音声信号録音部
４４：防災音声信号出力部
４５：電源部
【図１】
2018046389.tif 000003
【図２】
2018046389.tif 000004
【図３】
2018046389.tif 000005